(57)【要約】【課題】大型の把持部を要さずに、散水部を容易に着脱することができるシャワーヘッドを提供する。【解決手段】シャワーヘッドは、吐水用の開口を有するシャワー本体と、吐水用の開口に設けられ、シャワー水流を形成する散水部２００と、を備える。散水部２００は、第一軸線ＣＬ１まわりに回転することでシャワー本体に装着される装着部２１０と、第一軸線ＣＬ１に交差してシャワー本体の外側に面する第一面２３０と、第一面２３０に点在する複数の吐水孔２５０と、を有する。第一面２３０は、第一軸線ＣＬ１に交差する方向に延びるように形成された凹部２３１又は凸部２６１と、凹部２３１又は凸部２６１の外縁に沿って形成され、装着部２１０の着脱用のトルクを伝達するトルク伝達部２３２とを含む。複数の吐水孔２５０は、内領域Ａ１に点在する複数の第一吐水孔Ｈ１と、外領域Ａ２に点在する複数の第二吐水孔Ｈ２とを含む。【選択図】図３
2018158000.tif 000002
【特許請求の範囲】
【請求項１】
吐水用の開口を有するシャワー本体と、
前記吐水用の開口に設けられ、シャワー水流を形成する散水部と、を備え、
前記散水部は、
第一軸線まわりに回転することで前記シャワー本体に装着される装着部と、
前記第一軸線に交差して前記シャワー本体の外側に面する第一面と、
前記第一面に点在する複数の吐水孔と、を有し、
前記第一面は、
前記第一軸線に交差する方向に延びるように形成された凹部又は凸部と、
前記凹部又は凸部の外縁に沿って形成され、前記装着部の着脱用のトルクを伝達するトルク伝達部とを含み、
前記複数の吐水孔は、
前記凹部又は凸部内の領域に点在する複数の第一吐水孔と、前記凹部又は凸部外の領域に点在する複数の第二吐水孔とを含むシャワーヘッド。
【請求項２】
前記凹部又は凸部は、前記第一軸線について対称となるように形成されている、請求項１記載のシャワーヘッド。
【請求項３】
前記複数の第一吐水孔は、前記凹部又は凸部の長手方向に点在している、請求項１又は２記載のシャワーヘッド。
【請求項４】
前記複数の第一吐水孔は、前記凹部又は凸部内の領域に二次元的に点在している、請求項３記載のシャワーヘッド。
【請求項５】
前記凹部又は凸部内の領域において、前記複数の第一吐水孔の少なくとも一部を含む部分と、前記凹部又は凸部外の領域において、前記複数の第二吐水孔の少なくとも一部を含む部分とで、前記第一面の外周側への傾斜角が異なっている、請求項１〜４のいずれか一項記載のシャワーヘッド。
【請求項６】
前記シャワー本体は、水流の上流側に延びた把持部と、
前記把持部の長手方向に対する前記凹部又は凸部の長手方向の角度を定めるように前記装着部の回転を規制する位置決め部を有する、請求項５記載のシャワーヘッド。
【請求項７】
前記凹部又は凸部内の領域において、前記複数の第一吐水孔の少なくとも一部を含む部分は、前記凹部又は凸部外の領域に比較して、前記第一面の外周側に大きな傾斜角で傾斜している、請求項５記載のシャワーヘッド。
【請求項８】
前記シャワー本体は、水流の上流側に延びた把持部と、
前記把持部の長手方向に対する前記凹部又は凸部の長手方向の角度を９０°±３０°の範囲内に定めるように前記装着部の回転を規制する位置決め部を有する、請求項７記載のシャワーヘッド。
【請求項９】
前記シャワー本体は、前記複数の第一吐水孔から水を出す第一状態と、前記複数の第一吐水孔から水を出さない第二状態とを、前記散水部と共に回転して切り替える水流切替部を更に有し、
前記水流切替部は、前記第一状態において前記把持部の長手方向に対する前記凹部又は凸部の長手方向の角度が９０°±３０°の範囲内となり、前記第二状態において前記把持部の長手方向に対する前記凹部又は凸部の長手方向の角度が９０°±３０°の範囲外となるように構成されている、請求項８記載のシャワーヘッド。
【請求項１０】
前記凹部又は凸部外の領域において、前記複数の第二吐水孔の少なくとも一部を含む部分は、前記凹部又は凸部内の領域に比較して、前記第一面の外周側に大きな傾斜角で傾斜している、請求項５記載のシャワーヘッド。
【請求項１１】
前記凹部又は凸部は凹部である、請求項１〜１０のいずれか一項記載のシャワーヘッド。
【請求項１２】
請求項１〜１１のいずれか一項記載のシャワーヘッドと、
前記装着部の着脱用のトルクを前記トルク伝達部に付加する着脱工具と、を備えるシャワーヘッドシステム。
【請求項１３】
請求項１〜１１のいずれか一項記載のシャワーヘッドと、
前記シャワーヘッドに水を導く導水経路と、
前記導水経路を開閉する水栓部と、を備える水栓装置。
【発明の詳細な説明】
【技術分野】
【０００１】
本開示は、シャワーヘッド、シャワーヘッドシステム及び水栓装置に関する。
【背景技術】
【０００２】
特許文献１には、把持部と、頭部と、散水板と、散水板止めリングとを備えるシャワー装置が開示されている。頭部は把持部の下流端に接続されている。散水板は、多数の小孔からなる散水口を有し、頭部に取り付けられる。散水板止めリングは、頭部の外周にネジ結合されて散水版を頭部に固定する。
【先行技術文献】
【特許文献】
【０００３】
【特許文献１】特開２０１４ー１５１１２５号公報
【発明の概要】
【発明が解決しようとする課題】
【０００４】
特許文献１に記載された構成においては、散水板（散水部）の着脱に際して十分なトルクを伝達するために、散水板止めリングに大型の把持部を要する場合がある。大型の把持部を設けることは、シャワーヘッドのデザイン上の制約となり得る。
【０００５】
そこで本開示は、大型の把持部を要さずに、散水部を容易に着脱することができるシャワーヘッド、シャワーヘッドシステム、及び水栓装置を提供することを目的とする。
【課題を解決するための手段】
【０００６】
本開示に係るシャワーヘッドは、吐水用の開口を有するシャワー本体と、吐水用の開口に設けられ、シャワー水流を形成する散水部と、を備え、散水部は、第一軸線まわりに回転することでシャワー本体に装着される装着部と、第一軸線に交差してシャワー本体の外側に面する第一面と、第一面に点在する複数の吐水孔と、を有し、第一面は、第一軸線に交差する方向に延びるように形成された凹部又は凸部と、凹部又は凸部の外縁に沿って形成され、装着部の着脱用のトルクを伝達するトルク伝達部とを含み、複数の吐水孔は、凹部又は凸部内の領域に点在する複数の第一吐水孔と、凹部又は凸部外の領域に点在する複数の第二吐水孔とを含む。
【０００７】
凹部又は凸部は、第一軸線について対称となるように形成されていてもよい。
【０００８】
複数の第一吐水孔は、凹部又は凸部の長手方向に点在していてもよい。
【０００９】
複数の第一吐水孔は、凹部又は凸部内の領域に二次元的に点在していてもよい。
【００１０】
凹部又は凸部内の領域において、複数の第一吐水孔の少なくとも一部を含む部分と、凹部又は凸部外の領域において、複数の第二吐水孔の少なくとも一部を含む部分とで、第一面の外周側への傾斜角が異なっていてもよい。
【００１１】
シャワー本体は、水流の上流側に延びた把持部と、把持部の長手方向に対する凹部又は凸部の長手方向の角度を定めるように装着部の回転を規制する位置決め部を有してもよい。
【００１２】
凹部又は凸部内の領域において、複数の第一吐水孔の少なくとも一部を含む部分は、凹部又は凸部外の領域に比較して、第一面の外周側に大きな傾斜角で傾斜していてもよい。
【００１３】
シャワー本体は、水流の上流側に延びた把持部と、把持部の長手方向に対する凹部又は凸部の長手方向の角度を９０°±３０°の範囲内に定めるように装着部の回転を規制する位置決め部を有してもよい。
【００１４】
シャワー本体は、複数の第一吐水孔から水を出す第一状態と、複数の第一吐水孔から水を出さない第二状態とを、散水部と共に回転して切り替える水流切替部を更に有し、水流切替部は、第一状態において把持部の長手方向に対する凹部又は凸部の長手方向の角度が９０°±３０°の範囲内となり、第二状態において把持部の長手方向に対する凹部又は凸部の長手方向の角度が９０°±３０°の範囲外となるように構成されていてもよい。
【００１５】
凹部又は凸部外の領域において、複数の第二吐水孔の少なくとも一部を含む部分は、凹部又は凸部内の領域に比較して、第一面の外周側に大きな傾斜角で傾斜していてもよい。
【００１６】
凹部又は凸部は凹部であってもよい。
【００１７】
本開示の他の側面に係るシャワーヘッドシステムは、上記シャワーヘッドと、装着部の着脱用のトルクをトルク伝達部に付加する着脱工具と、を備える。
【００１８】
本開示の更に他の側面に係る水栓装置は、上記シャワーヘッドと、シャワーヘッドに水を導く導水経路と、導水経路を開閉する水栓部と、を備える。
【発明の効果】
【００１９】
本開示によれば、大型の把持部を要さずに、散水部を容易に着脱することができるシャワーヘッド、シャワーヘッドシステム、及び水栓装置を提供することができる。
【図面の簡単な説明】
【００２０】
【図１】水栓装置の概略構成を示す斜視図である。
【図２】シャワーシステムの斜視図である。
【図３】散水部の斜視図である。
【図４】内領域の傾きと、外領域の傾きとの関係を模式的に示す断面図である。
【図５】吐水孔に対する第一面の傾きが水流に及ぼす影響を示す模式図である。
【図６】シャワーヘッドの内部構造を示す模式図である。
【図７】水流切替機構の構造を示す模式図である。
【図８】シャワー水流の指向方向とシンクの形状との関係を示す模式図である。
【図９】着脱工具が使用される状態を示す模式図である。
【図１０】散水部の変形例を示す斜視図である。
【図１１】散水部の他の変形例を示す断面図である。
【図１２】散水部の更に他の変形例を示す斜視図である。
【図１３】散水部の更に他の変形例を示す断面図である。
【図１４】散水部の更に他の変形例を示す断面図である。
【図１５】他のシャワーヘッドへの適用例を示す斜視図である。
【図１６】更に他のシャワーヘッドへの適用例を示す斜視図である。
【発明を実施するための形態】
【００２１】
以下、実施形態について、図面を参照しつつ詳細に説明する。説明において、同一要素又は同一機能を有する要素には同一の符号を付し、重複する説明を省略する。
【００２２】
〔水栓装置〕
本実施形態に係る水栓装置１は、キッチンのシンクに設置されるものである。図１に示すように、水栓装置１は、シャワーヘッド２０を含むシャワーヘッドシステム１０と、導水経路４０と、水栓部５０とを備える。シャワーヘッド２０は、キッチンのシンクに水を供給するための経路の端部に設けられ、シャワー水流を形成する。
【００２３】
導水経路４０は、シャワーヘッド２０に水を導く。例えば導水経路４０は、冷水管４１と、温水管４２と、混合ホース４３とを有する。冷水管４１は、冷水供給系統（例えば上水道）から冷水を導入する。温水管４２は、温水供給系統（例えば給湯器）から温水を導入する。混合ホース４３は、冷水管４１により導入された冷水と、温水管４２により導入された温水との混合水をシャワーヘッド２０に導く。
【００２４】
水栓部５０は、導水経路４０を開閉する。例えば水栓部５０は、本体部５１と、ハンドル５２とを有する。本体部５１は、混合水栓５３を内蔵している。混合水栓５３は、冷水管４１及び温水管４２と混合ホース４３との間に介在する。ハンドル５２は、混合水栓５３に接続されている。混合水栓５３は、ハンドル５２の操作状態に応じて、冷水管４１及び温水管４２と混合ホース４３との間の開閉と、冷水及び温水の混合比率の調節とを行う。
【００２５】
〔シャワーヘッドシステム〕
続いて、シャワーヘッドシステム１０の構成を詳細に説明する。図２に示すように、シャワーヘッドシステム１０は、シャワーヘッド２０と、着脱工具３０とを備える。シャワーヘッド２０は、吐水用の開口を有するシャワー本体１００と、当該吐水用の開口に設けられ、シャワー水流を形成する散水部２００とを備える。
【００２６】
（散水部）
図３に示すように、散水部２００は、装着部２１０と、散水プレート２２０とを有する。
【００２７】
装着部２１０は、第一軸線ＣＬ１まわりに回転することでシャワー本体１００に装着される。例えば、装着部２１０は、第一軸線ＣＬ１を中心とする筒状の嵌合部２１１と、嵌合部２１１の外周に設けられた少なくとも一つの取付突起２１２とを有する。取付突起２１２は、第一軸線ＣＬ１まわりの回転により、シャワー本体１００に引っ掛かる。取付突起２１２を引っ掛けるためのシャワー本体１００側の構造については後述する。取付突起２１２の数に特に制限はない。例えば装着部２１０は、第一軸線ＣＬ１を挟んで互いに逆側に配置された二つの取付突起２１２を有する。
【００２８】
散水プレート２２０は、第一軸線ＣＬ１に沿う方向において装着部２１０の一端部を塞ぐように設けられている。散水プレート２２０の一方の面は、第一軸線ＣＬ１に交差（例えば直交）してシャワーヘッドシステム１０の外側に面する。以下、この面を「第一面２３０」という。散水プレート２２０の他方の面は、第一軸線ＣＬ１に交差（例えば直交）してシャワーヘッドシステム１０の内側に面する。以下、この面を「第二面２４０」という。
【００２９】
散水プレート２２０は、第一面２３０に点在する複数の吐水孔２５０を有する。第一面２３０に点在するとは、第一面２３０内に散らばるように配されていることを意味する。複数の吐水孔２５０のそれぞれは、散水プレート２２０を貫通して第一面２３０及び第二面２４０の両方に開口している。
【００３０】
複数の吐水孔２５０は、散水プレート２２０の中心（第一軸線ＣＬ１の位置）に設けられたストレート吐水孔２５１と、ストレート吐水孔２５１を囲むように点在する複数のシャワー吐水孔２５２とを含む。例えば複数のシャワー吐水孔２５２は、第一軸線ＣＬ１を中心とする第一円周に沿って点在する第一グループのシャワー吐水孔２５２Ａと、第一軸線ＣＬ１を中心として第一円周を囲む第二円周に沿って点在する第二グループのシャワー吐水孔２５２Ｂと、第一軸線ＣＬ１を中心として第二円周を囲む第三円周に沿って点在する第三グループのシャワー吐水孔２５２Ｃと、第一軸線ＣＬ１を中心として第三円周を囲む第四円周に沿って点在する第四グループのシャワー吐水孔２５２Ｄとを含む。第二円周と第三円周との間隔は、第一円周と第二円周との間隔、及び第三円周と第四円周との間隔よりも大きい。
【００３１】
第一面２３０は、凹部２３１及びトルク伝達部２３２を含む。凹部２３１は、第一軸線ＣＬ１に交差（例えば直交）する方向に延び、第一軸線ＣＬ１について対称となるように形成されている。凹部２３１は、複数のシャワー吐水孔２５２のうち最外周に位置するシャワー吐水孔２５２Ｄよりも外周側まで延びている。このため、第一グループ〜第四グループの全グループにおいて、一部のシャワー吐水孔２５２が凹部２３１内の領域（以下、「内領域Ａ１」という。）に位置し、残りのシャワー吐水孔２５２が凹部２３１外の領域（以下、「外領域Ａ２」という。）に位置している。すなわち、シャワー吐水孔２５２は、内領域Ａ１内に位置する複数のシャワー吐水孔２５２（以下、「第一吐水孔Ｈ１」という。）と、外領域Ａ２内に点在する複数のシャワー吐水孔２５２（以下、「第二吐水孔Ｈ２」という。）とを含んでいる。
【００３２】
複数の第一吐水孔Ｈ１は、凹部２３１の長手方向Ｄ２に点在している。また、複数の第一吐水孔Ｈ１は、内領域Ａ１に二次元的に点在している。二次元的に点在するとは、互いに交差する二方向に散らばって配されていることを意味する。例えば、内領域Ａ１において、シャワー吐水孔２５２Ａ，２５２Ｂ，２５２Ｃ，２５２Ｄが長手方向Ｄ２に点在しており、複数のシャワー吐水孔２５２Ａが長手方向Ｄ２に交差する方向に点在し、複数のシャワー吐水孔２５２Ｂが長手方向Ｄ２に交差する方向に点在し、複数のシャワー吐水孔２５２Ｃが長手方向Ｄ２に交差する方向に点在し、複数のシャワー吐水孔２５２Ｄが長手方向Ｄ２に交差する方向に点在している。
【００３３】
トルク伝達部２３２は、凹部２３１の外縁に沿って形成され、装着部２１０の着脱用のトルクを伝達する。例えば、凹部２３１の外縁には、内領域Ａ１及び外領域Ａ２をつなぐ境界面が形成される。この境界面のうち、凹部２３１の長手方向Ｄ２に沿う二つの部分がトルク伝達部２３２として機能する。
【００３４】
上述の通り、凹部又は凸部内の領域には第一吐水孔Ｈ１が設けられるので、吐水孔の配置の自由度を低下させることなく、凹部２３１の範囲を広げ易い。これを利用し、トルク伝達部２３２と第一軸線ＣＬ１との距離（最短距離）を１．５ｍｍ以上としてもよい。この場合、取り外すための操作の軽さと、取り外し易さとの両立を図りやすい。更に、上記距離を２ｍｍ以上としてもよく、４ｍｍ以上としてもよい。上記距離の拡大は、散水部２００（シャワー本体１００）の大きさ等によって制限される。これを考慮し、上記距離の上限値を２０ｍｍ以下としてもよく、更に１５ｍｍ以下としてもよく、１０ｍｍ以下としてもよい。
【００３５】
図４に示すように、内領域Ａ１において複数の第一吐水孔Ｈ１の少なくとも一部を含む部分と、外領域Ａ２において複数の第二吐水孔Ｈ２の少なくとも一部を含む部分とでは、第一面２３０の外周側（以下、単に「外周側」という。）への傾斜角が異なっている。例えば、内領域Ａ１において、複数の第一吐水孔Ｈ１の少なくとも一部を含む部分は、外領域Ａ２に比較して、外周側に大きな傾斜角で傾斜している。
【００３６】
より具体的に、外領域Ａ２は第一軸線ＣＬ１に直交した平面であり、外周側への外領域Ａ２の傾斜角（外領域Ａ２の法線ＮＬ２が第一軸線ＣＬ１に対して外周側に傾く角度）は０°である。複数の第二吐水孔Ｈ２のそれぞれは、外領域Ａ２に直交している。すなわち、第二吐水孔Ｈ２の中心軸線は第一軸線ＣＬ１に平行である。
【００３７】
内領域Ａ１は水の吐出方向に凸となった曲面であり、その頂部は第一面２３０の中心（第一面２３０と第一軸線ＣＬ１との交点）に位置している。外周側への内領域Ａ１の傾斜角（内領域Ａ１の法線ＮＬ１が第一軸線ＣＬ１に対して外周側に傾く角度）は、第一面２３０の外周に近付くにつれて徐々に大きくなっている。なお、法線ＮＬ１は、上記曲面に外接する仮想平面の法線である。第一面２３０の中心に位置するストレート吐水孔２５１の中心軸線は、第一軸線ＣＬ１に一致している。複数の第一吐水孔Ｈ１のそれぞれは、内領域Ａ１の傾斜に応じて傾いている。例えば、各第一吐水孔Ｈ１は、内領域Ａ１に直交するように外周側に傾斜している。すなわち、各第一吐水孔Ｈ１の中心軸線は内領域Ａ１の法線ＮＬ１に一致している。
【００３８】
このように、外周側への内領域Ａ１及び第一吐水孔Ｈ１の傾斜角と、外周側への外領域Ａ２及び第二吐水孔Ｈ２の傾斜角とを相違させることにより、シャワー水流の広がりに指向性を持たせることができる。以下、シャワー水流の広がりが大きい方向を「シャワー水流の指向方向」という。図４に例示したように、外周側への内領域Ａ１及び第一吐水孔Ｈ１の傾斜角を、外周側への外領域Ａ２及び第二吐水孔Ｈ２の傾斜角に比較して大きくする場合には、凹部２３１の長手方向Ｄ２がシャワー水流の指向方向となる。
【００３９】
なお、内領域Ａ１及び外領域Ａ２の傾斜角を相違させることなく、第一吐水孔Ｈ１及び第二吐水孔Ｈ２の傾斜角を相違させるのみでも、シャワー水流の水流に指向性を持たせることは可能である。しかしながら、第一吐水孔Ｈ１が内領域Ａ１に直交せず、法線ＮＬ１に対して傾く場合、第一吐水孔Ｈ１内の各部で吐水開始タイミングの差異が大きくなる。吐水開始タイミングとは、第一吐水孔Ｈ１の中心軸線に直交する仮想平面を同時に通過した水が第一面２３０を通過してシャワー本体１００外に排出されるタイミングを意味する。例えば、第一吐水孔Ｈ１のうち、第一軸線ＣＬ１側に位置する部分の吐水タイミングは、第一軸線ＣＬ１の逆側に位置する部分の吐水タイミングに比較して早くなる。その影響で、第一吐水孔Ｈ１からの吐水形状が、第一軸線ＣＬ１を中心とする径方向に広がり、シャワー水流の形状が乱れるおそれがある（図５の（ｂ）参照）。第二吐水孔Ｈ２が外領域Ａ２に直交せず、法線ＮＬ２に対して傾く場合も同様である。
【００４０】
これに対し、第一吐水孔Ｈ１が内領域Ａ１に直交した構成によれば、第一吐水孔Ｈ１内の各部で吐水開始タイミングの差異が小さくなるので、上述した吐水形状の広がりが抑制され、シャワー水流の形状の乱れが抑制される（図５の（ａ）参照）。
【００４１】
なお、図４の構成は、外周側への内領域Ａ１の傾斜角を、外周側への外領域Ａ２の傾斜角に比較して大きくする構成の一例に過ぎず、内領域Ａ１は必ずしも曲面でなくてよい。例えば内領域Ａ１は円錐面等の錐面であってもよい。換言すると、外周側への内領域Ａ１の傾斜角は一定であってもよい。
【００４２】
また、外領域Ａ２は必ずしも平面でなくてよい。例えば外領域Ａ２は、外周側への傾斜角が内領域Ａ１よりも小さいという条件を満たす限り、曲面であってもよいし、錐面であってもよい。
【００４３】
（シャワー本体）
図６及び図７に示すように、シャワー本体１００は、ヘッド１１０と、把持部１２０と、水流切替部１３０とを有する。ヘッド１１０は、第二軸線ＣＬ２を中心とする開口１１１と、開口１１１に水を導く導水管路１１２とを有する。把持部１２０は、ヘッド１１０から水流の上流側に延びており、開口１１１に水を導く導水管路１２１を有する。例えば把持部１２０は、ヘッド１１０の外周から、第二軸線ＣＬ２に交差する方向に延びている。
【００４４】
水流切替部１３０は、散水部２００と共に回転して、複数の第一吐水孔Ｈ１から水を出す第一状態と、複数の第一吐水孔Ｈ１から水を出さない第二状態とを切り替える。水流切替部１３０は、第二軸線ＣＬ２まわりに回転自在となるように、ヘッド１１０の開口１１１内に取り付けられる。
【００４５】
水流切替部１３０は、第二軸線ＣＬ２を中心とする開口１３１と、開口１３１の内面に設けられた装着部１３２と、外周側に突出したツマミ部１３３と、配水部１３４，１３５とを有する。開口１３１には、第一軸線ＣＬ１を第二軸線ＣＬ２に一致させた状態で散水部２００が配置される。
【００４６】
装着部１３２には散水部２００の装着部２１０が装着される。装着部１３２は、少なくとも一つの取付溝１４０を含む。取付溝１４０は、導入部１４１と、抜け止め部１４２と、位置決め部１４３とを含む。導入部１４１は、第二軸線ＣＬ２に沿って延び、シャワー本体１００の外側に開放されている。抜け止め部１４２は、シャワー本体１００の内側において、開口１３１の周方向に延びており、その一端部は導入部１４１に接続されている。
【００４７】
この構造によれば、取付突起２１２と導入部１４１との位置を合わせ、散水部２００をシャワー本体１００の内側に押し込んだ後、散水部２００を第一軸線ＣＬ１まわり（第二軸線ＣＬ２まわり）に回転させることで、取付突起２１２を抜け止め部１４２内に入れることが可能である。抜け止め部１４２内に取付突起２１２が入ると、取付突起２１２が抜け止め部１４２の内面に引っ掛かり、第二軸線ＣＬ２に沿う方向における散水部２００の移動が規制されるので、水流切替部１３０からの散水部２００の脱落が防止される。このように、散水部２００の装着部２１０は、第一軸線ＣＬ１まわりに回転することで水流切替部１３０に装着される。
【００４８】
位置決め部１４３は、把持部１２０の長手方向Ｄ１に対する凹部２３１の長手方向Ｄ２の角度を定めるように装着部２１０の回転を規制する。後述するように、位置決め部１４３は、長手方向Ｄ１に対する長手方向Ｄ２の角度を９０°±３０°の範囲内に定めるように装着部２１０の回転を規制する。位置決め部１４３は、例えば抜け止め部１４２の他端部（導入部１４１の逆側の端部）により構成されている。当該他端部に取付突起２１２が接すると、水流切替部１３０に対する散水部２００の回転が規制され、把持部１２０の長手方向Ｄ１に対する上記凹部２３１の長手方向Ｄ２の角度が定まる。
【００４９】
なお、以上に示した散水部２００の装着構造はあくまで一例である。散水部２００の装着構造は、散水部２００の装着部２１０が第一軸線ＣＬ１まわりの回転によりシャワー本体１００に装着される限り、どのように構成されていてもよい。例えば、装着部２１０側に取付溝１４０が形成され、水流切替部１３０側に取付突起２１２が形成されていてもよい。また、取付突起２１２及び取付溝１４０に代えて、嵌合部２１１の外周に雄ねじが形成され、開口１３１の内周面に雌ねじが形成されていてもよい。
【００５０】
ツマミ部１３３は、外周側（第二軸線ＣＬ２の逆側）に突出しており、水流切替部１３０を回転させるためのツマミとして用いられる。
【００５１】
配水部１３４は、複数の第一吐水孔Ｈ１を含む複数の吐水孔に接続されている。例えば配水部１３４は、複数の第一吐水孔Ｈ１及び複数の第二吐水孔Ｈ２に連通している。配水部１３５は、第一吐水孔Ｈ１を含まない少なくとも一つの吐水孔に接続されている。例えば配水部１３５は、ストレート吐水孔２５１に連通している。
【００５２】
図７に示すように、配水部１３４は、上記第一状態においては導水管路１１２に接続され（図７の（ｂ）参照）、上記第二状態においては導水管路１１２から遮断される（図７の（ａ）参照）。配水部１３５は、上記第一状態においては導水管路１１２から遮断され、上記第二状態においては導水管路１１２に接続される。
【００５３】
水流切替部１３０は、第一状態において凹部２３１の長手方向Ｄ２と把持部１２０の長手方向Ｄ１とのなす角度が９０°±３０°の範囲内となり、第二状態において長手方向Ｄ２と長手方向Ｄ１とのなす角度が９０°±３０°の範囲外となるように構成されている。例えば位置決め部１４３は、配水部１３４が導水管路１１２に接続され、配水部１３５が導水管路１１２から遮断された状態において、長手方向Ｄ１に対する長手方向Ｄ２の角度を９０°±３０°の範囲内に規制し、配水部１３５が導水管路１１２に接続され、配水部１３４が導水管路１１２から遮断された状態において、長手方向Ｄ１に対する長手方向Ｄ２の角度を９０°±３０°の範囲外に規制する位置に設けられている。
【００５４】
上述したように、外周側への内領域Ａ１及び第一吐水孔Ｈ１の傾斜角を、外周側への外領域Ａ２及び第二吐水孔Ｈ２の傾斜角に比較して大きくする場合には、凹部２３１の長手方向Ｄ２がシャワー水流の指向方向となる。このように凹部２３１の長手方向Ｄ２がシャワー水流の指向方向となる構成と、第一状態において凹部２３１の長手方向Ｄ２と把持部１２０の長手方向Ｄ１とのなす角度が９０°±３０°の範囲内となる構成とを併せて採用することで、シャワー水流の指向方向と把持部１２０の長手方向Ｄ１とのなす角度を直角に近い状態に保つことができる。このため、横長のシンクＳＫの短辺方向に把持部１２０が沿う構成において、シャワー水流の指向方向をシンクＳＫの長辺方向に合わせることができる（図８参照）。これにより、シンクＳＫの長辺方向への広がりを有効活用して当該長辺方向にシャワー水流を広げ、使い勝手を向上させることができる。
【００５５】
図２に戻り、着脱工具３０は、シャワーヘッド２０とは別体となっており、装着部２１０の着脱用のトルクをトルク伝達部２３２に付加する。より具体的に、着脱工具３０は、先端部３１及び把持部３２を有する。
【００５６】
先端部３１は、一方向に伸びた断面形状を有する。以下、当該一方向を「長手方向Ｄ３」という。図９に示すように、先端部３１は、長手方向Ｄ３を凹部２３１の長手方向Ｄ２に沿わせた状態で凹部２３１内に嵌め込むことが可能である。
【００５７】
把持部３２は、ユーザが把持するための部分であり、先端部３１が凹部２３１内に嵌まり込んだ状態で凹部２３１外に位置する。
【００５８】
トルク伝達部３３は、着脱用のトルクを散水部２００のトルク伝達部２３２に伝達する。例えば、先端部３１の外周面のうち、長手方向Ｄ３に沿う部分がトルク伝達部３３として機能する。
【００５９】
先端部３１が凹部２３１内に嵌まり込んだ状態で、第一軸線ＣＬ１まわりのトルクを把持部３２に付加すると、トルク伝達部３３がトルク伝達部２３２に接し、着脱用のトルクが散水部２００に伝達される。
【００６０】
〔散水部の変形例〕
以上に例示したように、第一面２３０が、第一軸線ＣＬ１に交差する方向に延びるように形成された凹部又は凸部と、当該凹部又は凸部の外縁に沿って形成され、装着部２１０の着脱用のトルクを伝達するトルク伝達部とを含み、複数の吐水孔が、当該凹部又は凸部内の領域に点在する複数の第一吐水孔と、当該凹部又は凸部外の領域に点在する複数の第二吐水孔とを含む限り、散水部２００はどのように構成されていてもよい。
【００６１】
例えば、長手方向Ｄ２における凹部２３１の両端部は、必ずしも最外周に位置するシャワー吐水孔２５２Ｄよりも外周側まで延びていなくてよい。図１０の（ａ）は、長手方向Ｄ２における凹部２３１の両端部が、シャワー吐水孔２５２Ｂ，２５２Ｃの間に位置する場合を例示している。
【００６２】
図１０の（ｂ）に示すように、長手方向Ｄ２における凹部２３１の両端部は、散水プレート２２０の外周側に開放されていてもよい。
【００６３】
凹部２３１は、長手方向Ｄ２において複数の部分に分かれていてもよい。図１０の（ｃ）は、凹部２３１が、ストレート吐水孔２５１を挟んで二つの部分に分かれている場合を例示している。
【００６４】
図１０の（ｄ）に示すように、凹部２３１は、第一面２３０の外周側に向かうにつれて広がるように形成されていてもよいし、これとは逆に、第一面２３０の外周側に向かうにつれて狭まるように形成されていてもよい。
【００６５】
図１０の（ｅ）に示すように、凹部２３１は、第一軸線ＣＬ１から離れた位置に設けられていてもよい。すなわち、第一軸線ＣＬ１と凹部２３１との交差は、互いにねじれの位置にある関係（すなわち立体交差）を含む。この場合に、第一面２３０は、互いに平行な複数の凹部２３１Ｃ，２３１Ｄを有していてもよい。
【００６６】
図１０の（ｆ）に示すように、第一面２３０は、互いに交差する複数の凹部２３１（例えば十字状に交差する二つの凹部２３１Ｅ，２３１Ｆ）を有していてもよい。
【００６７】
外領域Ａ２において複数の第二吐水孔Ｈ２の少なくとも一部を含む部分は、内領域Ａ１に比較して、第一面２３０の外周側に大きな傾斜角で傾斜していてもよい。例えば、図４の例とは逆に、外周側への内領域Ａ１及び第一吐水孔Ｈ１の傾斜角を、外周側への外領域Ａ２及び第二吐水孔Ｈ２の傾斜角に比較して小さくしてもよい（図１１参照）。
【００６８】
図１２に示すように、第一面２３０は、凹部２３１に代えて、第一軸線ＣＬ１に交差する方向に延びるように形成された凸部２６１を含んでいてもよく、トルク伝達部２３２は凸部２６１の外縁に沿って形成されていてもよい。
【００６９】
第一面２３０が凹部２３１に代えて凸部２６１を含む構成においても、内領域Ａ１（凸部２６１内の領域）において複数の第一吐水孔Ｈ１の少なくとも一部を含む部分と、外領域Ａ２（凸部２６１外の領域）において複数の第二吐水孔Ｈ２の少なくとも一部を含む部分とで、外周側への傾斜角が異なっていてもよい。例えば、図１３の（ａ）に示すように、内領域Ａ１において、複数の第一吐水孔Ｈ１の少なくとも一部を含む部分は、外領域Ａ２に比較して、外周側に大きな傾斜角で傾斜していてもよい。図１３の（ｂ）に示すように、外領域Ａ２において複数の第二吐水孔Ｈ２の少なくとも一部を含む部分は、内領域Ａ１に比較して、第一面２３０の外周側に大きな傾斜角で傾斜していてもよい。
【００７０】
第一面２３０は、凹部２３１及び凸部２６１の両方を含んでいてもよい。一例として、図１４は、第一面２３０が、第一軸線ＣＬ１に沿って延びる凸部２６１と、凸部２６１の両端部（長手方向Ｄ２における両端部）に連なる二つの凹部２３１とを有する構成を例示している。
【００７１】
〔本実施形態の効果〕
以上に説明したように、シャワーヘッド２０は、吐水用の開口１１１，１３１を有するシャワー本体１００と、吐水用の開口１１１，１３１に設けられ、シャワー水流を形成する散水部２００と、を備える。散水部２００は、第一軸線ＣＬ１まわりに回転することでシャワー本体１００に装着される装着部２１０と、第一軸線ＣＬ１に交差してシャワー本体１００の外側に面する第一面２３０と、第一面２３０に点在する複数の吐水孔２５０と、を有する。第一面２３０は、第一軸線ＣＬ１に交差する方向に延びるように形成された凹部２３１又は凸部２６１と、凹部２３１又は凸部２６１の外縁に沿って形成され、装着部２１０の着脱用のトルクを伝達するトルク伝達部２３２とを含む。複数の吐水孔２５０は、内領域Ａ１に点在する複数の第一吐水孔Ｈ１と、外領域Ａ２に点在する複数の第二吐水孔Ｈ２とを含む。
【００７２】
シャワーヘッド２０によれば、第一面２３０に形成されたトルク伝達部２３２を利用して、着脱工具３０を介したトルク伝達が可能である。このため、装着部２１０の着脱のために、散水部２００に大型の把持部を設ける必要がない。また、内領域Ａ１及び外領域Ａ２の両方に複数の吐水孔２５０が形成される構造の採用により、吐水孔２５０の配置の自由度を低下させることなく、内領域Ａ１及び外領域Ａ２の広さのバランスを適正化し得る。これにより、トルク伝達部２３２に着脱工具３０を配置する際の作業性が向上する。更に、内領域Ａ１及び外領域Ａ２の広さのバランスを適正化することで、トルク伝達部２３２の強度も向上するので、着脱に際してのトルク伝達部２３２の破損が抑制される。従って、大型の把持部を要さずに、散水部２００を容易に着脱することができる。
【００７３】
凹部２３１又は凸部２６１は、第一軸線ＣＬ１について対称となるように形成されていてもよい。この場合、第一軸線ＣＬ１まわりのトルクをより発生させ易くなる。従って、散水部２００を更に容易に着脱することができる。
【００７４】
複数の第一吐水孔Ｈ１は、凹部２３１又は凸部２６１の長手方向Ｄ２に点在していてもよい。この場合、内領域Ａ１をその長手方向Ｄ２において有効活用することで、吐水孔２５０の配置の自由度を高めることができる。
【００７５】
複数の第一吐水孔Ｈ１は、凹部２３１又は凸部２６１内の領域に二次元的に点在していてもよい。この場合、吐水孔２５０の配置の自由度を更に高めることができる。
【００７６】
内領域Ａ１において複数の第一吐水孔Ｈ１の少なくとも一部を含む部分と、外領域Ａ２において複数の第二吐水孔Ｈ２の少なくとも一部を含む部分とで、第一面２３０の外周側への傾斜角が異なっていてもよい。この場合、内領域Ａ１と外領域Ａ２との不連続性を利用して、第一吐水孔Ｈ１からのシャワー水流の広がり角度（第一面２３０の外周側への広がり角度）と、第二吐水孔Ｈ２からのシャワー水流の広がり角度（第一面２３０の外周側への広がり角度）とを相違させることで、シャワー水流の広がりに指向性を持たせることができる。
【００７７】
シャワー本体１００は、水流の上流側に延びた把持部１２０と、把持部１２０の長手方向Ｄ１に対する凹部２３１又は凸部２６１の長手方向Ｄ２の角度を定めるように装着部２１０の回転を規制する位置決め部１４３を有してもよい。この場合、シャワー水流の広がりが大きい方向（以下、「シャワー水流の指向方向」という。）と、把持部１２０とのなす角が安定するので、使い勝手が向上する。
【００７８】
内領域Ａ１において、複数の第一吐水孔Ｈ１の少なくとも一部を含む部分は、外領域Ａ２に比較して、第一面２３０の外周側に大きな傾斜角で傾斜していてもよい。この場合、凹部２３１又は凸部２６１の長手方向におけるシャワー水流の広がりを大きくすることができる。
【００７９】
シャワー本体１００は、水流の上流側に延びた把持部１２０と、把持部１２０の長手方向Ｄ１に対する凹部２３１又は凸部２６１の長手方向の角度を９０°±３０°の範囲内に定めるように装着部２１０の回転を規制する位置決め部１４３を有してもよい。この場合、シャワー水流の指向方向と把持部１２０の長手方向Ｄ１とのなす角度を直角に近い状態に保つことができる。
【００８０】
シャワー本体１００は、複数の第一吐水孔Ｈ１から水を出す第一状態と、複数の第一吐水孔Ｈ１から水を出さない第二状態とを、散水部２００と共に回転して切り替える水流切替部１３０を更に有し、水流切替部１３０は、第一状態において把持部１２０の長手方向Ｄ１に対する凹部２３１又は凸部２６１の長手方向Ｄ２の角度が９０°±３０°の範囲内となり、第二状態において把持部１２０の長手方向Ｄ２に対する凹部２３１又は凸部２６１の長手方向Ｄ２の角度が９０°±３０°の範囲外となるように構成されていてもよい。この場合、第一吐水孔Ｈ１から水を出す際において、シャワー水流の指向方向と把持部１２０の長手方向とのなす角度を直角に近い状態に保つことができる。
【００８１】
以上、実施形態について説明したが、本発明は必ずしも上述した実施形態に限定されるものではなく、その要旨を逸脱しない範囲で様々な変形が可能である。例えば、図１５に示すように、同心円状に並ぶ第一散水部２００Ａ及び第二散水部２００Ｂを有するシャワーヘッド２０Ａにおいて、第一散水部２００Ａ及び第二散水部２００Ｂのいずれか一方（例えば内側の第一散水部２００Ａ）に上述した散水部２００の構造を適用してもよい。この場合、装着部２１０を装着するための構成は、第二散水部２００Ｂの開口の内周面に構成可能である。また、上述した構成の適用対象は、キッチン用の水栓装置１に限られない。例えば、図１６に示すように、浴室用のシャワーヘッド２０Ｂに上述した散水部２００の構造を適用してもよい。
【符号の説明】
【００８２】
１…水栓装置、２０，２０Ａ，２０Ｂ…シャワーヘッド、１０…シャワーヘッドシステム、４０…導水経路、５０…水栓部、３０…着脱工具、１００…シャワー本体、２００…散水部、２１０…装着部、ＣＬ１…第一軸線、２３０…第一面、２５０…吐水孔、２３１，２３１Ｃ，２３１Ｄ，２３１Ｅ，２３１Ｆ…凹部、２６１…凸部、２３２…トルク伝達部、Ｈ１…第一吐水孔、Ｈ２…第二吐水孔、１２０…把持部、１３０…水流切替部、１１１，１３１…開口。
【図１】
2018158000.tif 000003
【図２】
2018158000.tif 000004
【図３】
2018158000.tif 000005
【図４】
2018158000.tif 000006
【図５】
2018158000.tif 000007
【図６】
2018158000.tif 000008
【図７】
2018158000.tif 000009
【図８】
2018158000.tif 000010
【図９】
2018158000.tif 000011
【図１０】
2018158000.tif 000012
【図１１】
2018158000.tif 000013
【図１２】
2018158000.tif 000014
【図１３】
2018158000.tif 000015
【図１４】
2018158000.tif 000016
【図１５】
2018158000.tif 000017
【図１６】
2018158000.tif 000018